(57)【要約】【課題】ボルトとナットの締付時にボルトが変形するのを防止する。【解決手段】バッテリーターミナル１０は、電極保持部１１の両端から外側へ片持ち状に突出する板状の一対の締付片部１２、１３を備える。両締付片部１２、１３には、ボルト７０の軸部７１を挿通可能な貫通孔１７、１８が設けられている。両締付片部１２、１３のうち、少なくとも一方の締付片部（第１締付片部１２）に設けられた貫通孔（第１貫通孔１７）は、ボルト７０の軸部７１が通る挿通領域２７と、挿通領域２７から第１締付片部１２の自由端側へ向けて拡開されることによってボルト７０の軸部７１から逃げる干渉回避領域２８とを有し、挿通領域２７から干渉回避領域２８に向かう方向を長径とする長孔状に形成されている。【選択図】図３
2016091768.tif 000002
【特許請求の範囲】
【請求項１】
バッテリーポストを包囲する弧状の電極保持部と、前記電極保持部の両端から外側へ片持ち状に突出する板状の一対の締付片部とを備え、前記一対の締付片部には貫通孔が設けられ、前記貫通孔にはボルトが通され、前記ボルトの軸部がナットに螺合することにより、前記ボルトの頭部と前記ナットとの間にて両締付片部を接近させ、これによって前記電極保持部を縮径変形させて前記バッテリーポストに固定されるバッテリーターミナルであって、
前記両締付片部のうち、少なくとも一方の前記締付片部に設けられた前記貫通孔は、前記ボルトの軸部が通る挿通領域と、前記挿通領域からこの締付片部の自由端側へ向けて拡開されることによって前記ボルトの軸部から逃げる干渉回避領域とを有し、前記挿通領域から前記干渉回避領域に向かう方向を長径とする長孔状に形成されていることを特徴とするバッテリーターミナル。
【請求項２】
前記締付片部には、前記貫通孔の周囲から一体に突出するバーリング部が設けられていることを特徴とする請求項１記載のバッテリーターミナル。
【請求項３】
前記干渉回避領域を有する前記貫通孔は、前記ナットを受ける前記締付片部に設けられ、前記バーリング部は、前記貫通孔の長径方向に関して前記締付片部における前記ナットの設置領域の内外に跨って配置される部分を有していることを特徴とする請求項２記載のバッテリーターミナル。
【発明の詳細な説明】
【技術分野】
【０００１】
本発明は、バッテリーターミナルに関する。
【背景技術】
【０００２】
特許文献１に開示されたバッテリーターミナルは、バッテリーポストを包囲する電極保持部（弧状締付部）と、電極保持部の両端から外側へ片持ち状に突出する一対の締付片部（板状突出部）とを備えている。両締付片部には、これら締付片部を同軸で貫通する貫通孔が設けられている。両締付片部の貫通孔には、ボルトの軸部が通される。ボルトの軸部にナットが螺合され、両締付片部が互いに接近する方向に変位させられることにより、電極保持部が縮径変形してバッテリーポストに固定されるようになっている。
【先行技術文献】
【特許文献】
【０００３】
【特許文献１】特開２０１０−３３７８３号公報
【発明の概要】
【発明が解決しようとする課題】
【０００４】
ところで、この種のバッテリーターミナルにおいては、図５に示すように、ボルト２とナット３が締め付けられて、バッテリーポスト７に電極保持部６が固定されたときに、両締付片部４が電極保持部６の両端から自由端にかけて次第に近づくように傾倒した状態になることがある。その場合に、両締付片部４の貫通孔５の周囲にバーリング部８が設けられていると、バーリング部８の軸方向とボルト２の軸部９の軸方向が同方向に揃わないことから、バーリング部８の突出端がボルト２の軸部９と干渉し（図５の波線を参照）、ボルト２の軸部９が変形するおそれがある。
【０００５】
本発明は上記のような事情に基づいて完成されたものであって、ボルトとナットの締付時にボルトが変形するのを防止することが可能なバッテリーターミナルを提供することを目的とする。
【課題を解決するための手段】
【０００６】
本発明は、バッテリーポストを包囲する弧状の電極保持部と、前記電極保持部の両端から外側へ片持ち状に突出する板状の一対の締付片部とを備え、前記一対の締付片部には貫通孔が設けられ、前記貫通孔にはボルトが通され、前記ボルトの軸部がナットに螺合することにより、前記ボルトの頭部と前記ナットとの間にて両締付片部を接近させ、これによって前記電極保持部を縮径変形させて前記バッテリーポストに固定されるバッテリーターミナルであって、前記両締付片部のうち、少なくとも一方の前記締付片部に設けられた前記貫通孔は、前記ボルトの軸部が通る挿通領域と、前記挿通領域からこの締付片部の自由端側へ向けて拡開されることによって前記ボルトの軸部から逃げる干渉回避領域とを有し、前記挿通領域から前記干渉回避領域に向かう方向を長径とする長孔状に形成されているところに特徴を有する。
【発明の効果】
【０００７】
ボルトとナットを締め付けた場合に、仮に、両締付片部がその自由端を近づける向きに傾倒しても、貫通孔の干渉回避領域によってボルトの軸部が締付片部と干渉するのを回避することができる。その結果、ボルトとナットの締付時にボルトが変形するのを防止することができる。
【図面の簡単な説明】
【０００８】
【図１】本発明の実施例において、ボルトとナットの締め付けによってバッテリーターミナルがバッテリーポストに取り付けられた状態を示す平面図である。
【図２】同じく正面図である。
【図３】同じく平面視方向の断面図である。
【図４】第１締付片部の内面を示す側面図である。
【図５】従来のバッテリーターミナルの問題点を示す断面図である。
【発明を実施するための形態】
【０００９】
本発明の好ましい実施形態を以下に示す。
前記締付片部には、前記貫通孔の周囲から一体に突出するバーリング部が設けられている。これによれば、ボルトとナットの締付時に締付片部が湾曲変形する事態を回避することができる。
【００１０】
前記干渉回避領域を有する前記貫通孔は、前記ナットを受ける前記締付片部に設けられ、前記バーリング部は、前記貫通孔の長径方向に関して前記締付片部における前記ナットの設置領域の内外に跨って配置される部分を有している。これによれば、バーリング部による補強効果を有効に発揮させることができ、ボルトとナットの締付時に締付片部が湾曲変形する事態をより確実に回避することができる。
【００１１】
＜実施例＞
以下、本発明の実施例を図１〜図４に基づいて説明する。本実施例１のバッテリーターミナル１０は、導電性の金属板を曲げ加工等して一体に成形され、バッテリーポスト９０を包囲する弧状、詳細には平面視Ｃ字形状の電極保持部１１と、電極保持部１１の両端（両端開口縁）から前方（図１の下側）へ互いに対向して突出する板状の一対の締付片部１２、１３と、両締付片部１２、１３が位置する側とは反対側の端部から後方（図１の上側）へ突出するバレル状の電線接続部１４とを備えている。
【００１２】
図２に示すように、バッテリーポスト９０は、上方へ向けて僅かに縮径した円錘台形状をなし、バッテリー本体９１の上面に立設されている。電極保持部１１は、帯板状をなし、図３に示すように、バッテリーポスト９０の外周面を覆ってバッテリーポスト９０に抱持可能とされている。
【００１３】
図１に示すように、電線接続部１４は、電極保持部１１の後部上端から後方へ突出する形態とされ、電線８０の端末の導体部８１に圧着により接続されている。電線８０は、電線接続部１４から後方に延出して配索されている。この場合、電線接続部１４と両締付片部１２、１３は、電線８０の配索方向（前後方向）の同軸上の位置に配置されている。
【００１４】
両締付片部１２、１３は、それぞれ、側面視略矩形の平板状の座部１５、１６を有している。図２に示すように、両座部１５、１６は、バッテリーポスト９０の軸方向（上下方向）に沿って互いに略平行に配置されている。図３に示すように、両座部１５、１６の中央部には、円形の貫通孔１７、１８が設けられている。
【００１５】
両締付片部１２、１３のうち、図３の向かって左側の締付片部（一方の締付片部であって、以下、第１締付片部１２という）に設けられた貫通孔（以下、第１貫通孔１７という）は、図３の向かって右側の締付片部（以下、第２締付片部１３という）に設けられた貫通孔（以下、第２貫通孔１８という）よりも、前後方向（締付片部１２、１３の突出方向であって、後述する挿通領域２７から干渉回避領域２８に向かう方向）に長寸に形成されている。
【００１６】
具体的には、図４に示すように、第１貫通孔１７は、前後方向が長径となる長円形に開口する形態とされ、第２貫通孔１８は、実質的に真円形に開口する形態とされている。両締付片部１２、１３が互いに対向して平行に配置された状態では、両貫通孔１７、１８が相互の中心軸を左右方向（ボルト７０の軸部７１の軸方向）の同軸上の位置にほぼ揃えて配置され、且つ、第１貫通孔１７が第２貫通孔１８よりも前後方向に拡張する部分を有するように配置される。
【００１７】
図３に示すように、両貫通孔１７、１８には、ボルト７０の軸部７１が挿通される。ボルト７０の軸部７１は、第２貫通孔１８から第１貫通孔１７へ向けて挿通され、第１貫通孔１７から外側（両締付片部１２、１３が互いに向き合う側とは反対側であって、図３の向かって左側）に突出し、その突出部分が第１締付片部１２の座部１５の外面に設置されたナット６０に螺合可能とされている。また、第２締付片部１３の座部１６の外面（図３の向かって右側）にはボルト７０の頭部７２が設置される。ここで、ボルト７０とナット６０が締め付けられることにより、ボルト７０の頭部７２とナット６０との間に挟まれた両締付片部１２、１３の座部１５、１６が互いに接近する方向に変位させられ、それとともに電極保持部１１が縮径変形させられ、もってバッテリーポスト９０に電極保持部１１が固定されるようになっている。
【００１８】
ここで、図３に示すように、第１締付片部１２の第１貫通孔１７は、ボルト７０とナット６０の締付時にボルト７０の軸部７１が通る挿通領域２７と、挿通領域２７から前方（第１締付片部１２の自由端側）に拡開されることによってボルト７０の軸部７１から逃げる干渉回避領域２８とを有している。挿通領域２７は、ボルト７０の軸部７１と対応する断面円形の領域とされ、第２貫通孔１８と同一の形態になっている。また、干渉回避領域２８は、挿通領域２７の上方に連通する断面膨出円弧状の領域とされている。
【００１９】
図２に示すように、第１締付片部１２は、その上下両端部を外側へ略直角に屈曲させてなる一対の第１屈曲部１９を有している。両第１屈曲部１９は、座部１５の上下両端の全縁から外側に張り出す板片状の形態とされている。両第１屈曲部１９間には、第１締付片部１２の座部１５の外面に設置されたナット６０が挟まれるように配置される。両第１屈曲部１９は、後述する第１バーリング部２３とともに、第１締付片部１２を補強する役割を有している。
【００２０】
図２に示すように、第２締付片部１３は、その上端部を外側へ略直角に屈曲させてなる第２屈曲部２１を有している。第２屈曲部２１は、座部１６の上端の全縁から外側へ向けて第１屈曲部１９よりも大きい張出量をもって張り出す板片状の形態とされている。そして、第２屈曲部２１は、第２締付片部１３の座部１６の外面に設置されたボルト７０の頭部７２に当接可能に配置される。
【００２１】
また、図２に示すように、第２締付片部１３は、その下端部を内側（両締付片部１２、１３が互いに向き合う側）へ略直角に屈曲させてなるリブ２２を有している。リブ２２は、座部１６の上端の全縁から内側へ向けて第１屈曲部１９よりも小さい張出量をもって張り出す板片状の形態とされている。リブ２２は、ボルト７０とナット６０の締付時に第１締付片部１２に当接することで両締付片部１２、１３の座部１５、１６の内面間（対向面間）を一定の間隔に保つ役割を有している。また、第２屈曲部２１及びリブ２２は、後述する第２バーリング部２４とともに、第２締付片部１３を補強する役割を有している。
【００２２】
両締付片部１２、１３は、それぞれ、バーリング加工により貫通孔１７、１８の開口縁から内側（両締付片部１２、１３が互いに向き合う側）に曲げ起こされてなる円筒状のバーリング部２３、２４を有している。
【００２３】
両締付片部１２、１３のうち、第１締付片部１２に設けられたバーリング部（以下、第１バーリング部２３という）は、第１締付片部１２の座部１５から第２締付片部１３側へ向けてボルト７０の軸方向（左右方向）に沿って突出し、第１貫通孔１７の全周に亘って形成されている。この第１バーリング部２３は、第１貫通孔１７の開口形状と対応するように前後方向に拡張された断面略長円形に形成されている。
【００２４】
また、第２締付片部１３に設けられたバーリング部（以下、第２バーリング部２４という）は、第２締付片部１３の座部１６から第１締付片部１２側へ向けてボルト７０の軸方向に沿って突出する円筒状をなし、第２貫通孔１８の全周に亘って形成されている。この第２バーリング部２４は、第２貫通孔１８の開口形状と対応するように断面略真円形に形成されている。図２に示すように、第２バーリング部２４とリブ２２との間には、図示しない成形用金型を設置するべく上下方向に大きく離れた設置スペース５０が確保されている。なお、第１バーリング部２３の突出寸法は、第２バーリング部２４の突出寸法とほぼ同一とされ、リブ２２の張出量ともほぼ同一とされている。
【００２５】
次に、バッテリーポスト９０にバッテリーターミナル１０を取り付ける方法を説明する。
取り付けに先立ち、両貫通孔１７、１８にボルト７０の軸部７１を通し、第１締付片部１２の座部１５の外面に設置されたナット６０に軸部７１を緩く螺合しておく。その状態で、バッテリーポスト９０に上方からバッテリーターミナル１０の電極保持部１１を被せる。このとき、電極保持部１１は、バッテリーポスト９０に遊嵌され、第１バーリング部２３と第２バーリング部２４は、左右方向に互いに間隔をあけて配置される。
【００２６】
続いて、ナット６０にボルト７０の軸部７１を深くねじ込む。すると、両締付片部１２、１３が互いに接近して、電極保持部１１が次第に縮径変形させられる。ボルト７０とナット６０が正規に締め付けられると、図３に示すように、電極保持部１１がバッテリーポスト９０の外周面に周方向に沿うように当接して、電極保持部１１がバッテリーポスト９０に固定される。その結果、バッテリーターミナル１０がバッテリーポスト９０に取り付けられて保持される。この場合に、両貫通孔１７、１８の周囲に全周に亘ってバーリング部２３、２４が形成されているため、ボルト７０とナット６０の締付時のトルクに起因して両締付片部１２、１３が内側へ湾曲変形する等といった事態が回避される。
【００２７】
ところで、バッテリーポスト９０が比較的大径である場合に、ボルト７０とナット６０が締め付けられると、図１及び図３に示すように、両締付片部１２、１３が電極保持部１１の両端（両締付片部１２、１３の後端）から自由端（両締付片部１２、１３の前端）にかけて漸次近づくように傾倒して配置されることがある。そうすると、第１貫通孔１７及び第１バーリング部２３のそれぞれの軸方向がボルト７０の軸部７１の軸方向と同軸上の位置に揃わなくなり、ボルト７０の軸部７１が第１貫通孔１７の孔縁又は第１バーリング部２３の突出端と干渉して、ボルト７０の軸部７１が変形するおそれがある。
【００２８】
しかし、上述した通り、第１貫通孔１７は挿通領域２７と干渉回避領域２８とを有し、ボルト７０とナット６０の締付時には第１貫通孔１７の挿通領域２７にボルト７０の軸部７１が挿通され、第１貫通孔１７の干渉回避領域２８には軸部７１が挿通されずにクリアランスが確保される。したがって、ボルト７０の軸部７１に第１貫通孔１７の孔縁や第１バーリング部２３の突出端が干渉することはなく、ボルト７０の軸部７１が変形する事態が回避される。なお、第２貫通孔１８と第２バーリング部２４には、ボルト７０の軸部７１がほぼ隙間なく位置決め状態で挿通される。また、第１貫通孔１７の挿通領域２７及び第１バーリング部２３のそれぞれの短径方向の両側内面には、ボルト７０の軸部７１の外周面が当接可能に配置される。
【００２９】
また、図４に示すように、ボルト７０とナット６０が締め付けられた状態では、第１締付片部１２の座部１５の外面におけるナット６０の設置領域２６に対し、第１貫通孔１７の長径方向に関して１バーリング部２３の左右両側部２５が縦断して内外に跨るように配置されるため、第１バーリング部２３の補強効果が有効に発揮され、ボルト７０とナット６０の締付時に締付片部１２、１３が内側へ湾曲変形する事態がより確実に回避される。
【００３０】
以上説明したように、本実施例によれば、ボルト７０とナット６０の締付時に、ボルト７０の軸部７１が第１貫通孔１７の干渉回避領域２８に逃がされて第１貫通孔１７の孔縁や第１バーリング部２３の突出端と干渉することがないため、ボルト７０が変形するのを防止することができる。また、両締付片部１３にはそれぞれバーリング部２３、２４が設けられているため、ボルト７０とナット６０の締付時に両締付片部１２、１３が内側へ湾曲変形するのを回避することができる。
【００３１】
＜他の実施例＞
以下、他の実施例を簡単に説明する。
（１）干渉回避領域を有する貫通孔は、第１締付片部に設けられず、第２締付片部に設けられるものであってもよく、あるいは、第１締付片部と第２締付片部の両方に設けられるものであってもよい。
（２）干渉回避領域を有する貫通孔は、締付片部の突出方向が長径となる長孔状に形成されていればよく、例えば、楕円形、又は端部が角張った断面形状を有するものであってもよい。
（３）第１バーリング部は、第１締付片部の外側（両締付片部が互いに向き合う側とは反対側）に突出する形態であってもよい。また、第２バーリング部も、第２締付片部の外側に突出する形態であってもよい。
（４）第１バーリング部及び第２バーリング部のいずれか一方又は両方を省略することも可能である。
【符号の説明】
【００３２】
１０…バッテリーターミナル
１１…電極保持部
１２…第１締付片部（一方の締付片部）
１３…第２締付片部
１７…第１貫通孔（第１締付片部の貫通孔）
１８…第２貫通孔（第２締付片部の貫通孔）
２３…第１バーリング部（第１締付片部のバーリング部）
２４…第２バーリング部（第２締付片部のバーリング部）
２６…設置領域
２７…挿通領域
２８…干渉回避領域
６０…ナット
７０…ボルト
７１…軸部
７２…頭部
９０…バッテリーポスト
【図１】
2016091768.tif 000003
【図２】
2016091768.tif 000004
【図３】
2016091768.tif 000005
【図４】
2016091768.tif 000006
【図５】
2016091768.tif 000007